(57)【特許請求の範囲】
【請求項１】
口頸部３を起立する容器体１と、
容器体口頸部３の外面に嵌合させた円筒形の装着筒11の上端から内向きフランジ状頂壁13を介して細長のノズル14を起立するとともに、装着筒11の上端部を小外径部11ｂに形成し、その装着筒11の下端部を除く外面左右両部分を、上記小外径部11ｂの左右両端部と連続する垂直平面11ａにそれぞれ形成し、これら垂直平面の上部に係合突部12, 12を付設した注出キャップ10と、
上記ノズル14の上面を閉塞する頂壁21の周縁から周壁22を垂下して、該周壁の下端部を上記装着筒11の小外径部11ｂ外面へ着脱自在に嵌合させ、又上記係合突部12, 12上方の周壁部分下端から摺動板部23, 23を垂下すると共に、これ等摺動板部に穿設した縦長孔24, 24の上部内へ上記係合突部12, 12を摺動可能に嵌合させた蓋体20とで形成し、
蓋体20を注出キャップ10に対して縦長孔24, 24下端へ係合突部12, 12の下面が接するまで引き上げ、かつ両係合突部12, 12を中心とする回動により注出キャップ10側外方へ蓋体20を移動させることが可能に設けた注出ノズル付き飲料容器において、
上記摺動板部23, 23の内面と上記装着筒11の垂直平面11aの前後中間部分とが相互に面接して当接するように形成するとともに、
この垂直平面下方の装着筒11の下端部分上面に、摺動板部23,23の下端部を当接させたことを特徴とする注出ノズル付き飲料容器。
【請求項２】
蓋体の頂壁21下面中央部に付設したシール筒25をノズル14上端部の内外面のうちのいずれか一方に着脱自在かつ水密に嵌合させたことを特徴とする請求項１記載の注出ノズル付き飲料容器。
【発明の詳細な説明】
【０００１】
【発明の属する技術分野】
本発明は、注出ノズル付き飲料容器に関する。
【０００２】
【従来の技術】
この種容器の一つとして、容器体口頸部の外面に嵌着させた装着筒の上端から内向きフランジ状頂壁を介して短筒状のノズルを起立し、かつ装着筒の上部外面にキャップの周壁下部を螺合させた容器が広く知られている。
【０００３】
【発明が解決しようとする課題】
上記従来容器は、キャップを正逆方向に回動させることで簡単に開閉できて便利であるが、例えば、屋外で収納物を飲む場合には、開蓋させたキャップの置き場所に困ることがあり、又キャップを置き忘れて紛失することがあった。
【０００４】
本発明は、容器体口頸部の外面に嵌合させた、ノズル付き装着筒の上部外面にキャップ周壁の下部を着脱自在に嵌合させ、かつ装着筒の外面左右両部に係合突部を付設すると共に、これ等係合突部上方のキャップ周壁部分の下端から摺動板部を垂下して、両摺動板部に穿設した縦長孔の上部内に上記係合突部を摺動自在に嵌合させ、キャップを装着筒に対して縦長孔下端へ係合突部の下面が接するまで引き上げ、かつ両係合突部を中心とする回動により装着筒側外方へキャップを移動させることが可能に形成することで、病人或いは高齢者等、誰でもキャップを容易に開閉でき、かつ開蓋させたキャップを何処にも置く必要がないよう設けた。
【０００５】
【課題を解決するための手段】
第１の手段として、口頸部３を起立する容器体１と、
容器体口頸部３の外面に嵌合させた円筒形の装着筒11の上端から内向きフランジ状頂壁13を介して細長のノズル14を起立するとともに、装着筒11の上端部を小外径部11ｂに形成し、その装着筒11の下端部を除く外面左右両部分を、上記小外径部11ｂの左右両端部と連続する垂直平面11ａにそれぞれ形成し、これら垂直平面の上部に係合突部12, 12を付設した注出キャップ10と、
上記ノズル14の上面を閉塞する頂壁21の周縁から周壁22を垂下して、該周壁の下端部を上記装着筒11の小外径部11ｂ外面へ着脱自在に嵌合させ、又上記係合突部12, 12上方の周壁部分下端から摺動板部23, 23を垂下すると共に、これ等摺動板部に穿設した縦長孔24, 24の上部内へ上記係合突部12, 12を摺動可能に嵌合させた蓋体20とで形成し、
蓋体20を注出キャップ10に対して縦長孔24, 24下端へ係合突部12, 12の下面が接するまで引き上げ、かつ両係合突部12, 12を中心とする回動により注出キャップ10側外方へ蓋体20を移動させることが可能に設けた注出ノズル付き飲料容器において、
上記摺動板部23, 23の内面と上記装着筒11の垂直平面11aの前後中間部分とが相互に面接して当接するように形成するとともに、
この垂直平面下方の装着筒11の下端部分上面に、摺動板部23,23の下端部を当接させた。
【０００６】
第２の手段として、第１の手段を有すると共に、蓋体の頂壁21下面中央部に付設したシール筒25をノズル14上端部の内外面のうちのいずれか一方に着脱自在かつ水密に嵌合させた。
【０００７】
【発明の実施の形態】
本発明容器は、容器体１，注出キャップ10および蓋体20からなり、容器体１は胴部２上端から口頸部３を起立し、かつ該口頸部の上部内面には、必要に応じて中栓４を嵌合させ、又胴部２は弾性圧搾可能に形成してもよい。
【０００８】
注出キャップ10は、容器体口頸部３の外面に螺合させた装着筒11を有し、該装着筒の外面左右両部を、下端部を除いて垂直平面11ａ, 11ａとして、これ等垂直平面の前後方向中間上方に係合突部12, 12を付設し、又上記装着筒11の上端部を小外径として、該小外径部11ｂの内面に内向きフランジ状頂壁13を付設し、かつ該内向きフランジ状頂壁の内周縁からノズル14を起立している。
【０００９】
蓋体20は、上記ノズル14の上面を頂壁21の中央部下面で閉塞すると共に、該頂壁の周縁から垂設した周壁22の下端部内面を上記装着筒11の小外径部11ｂ外面に着脱自在に嵌合させ、又上記係合突部12, 12上方の周壁部分下端から摺動板部23, 23を垂下して、これ等摺動板部に穿設した縦長孔24, 24の上部内に上記係合突部12, 12を摺動可能に嵌合させると共に、摺動板部23, 23の内面を上記垂直平面11ａ, 11ａの前後方向中間へ当接させ、更に、上記頂壁21の下面中央部に付設したシール筒25を上記ノズル14の上端部内面へ水密かつ着脱自在に嵌合させている。当該蓋体は、図２が示す状態から、注出キャップ10に対して縦長孔24, 24下端へ係合突部12 ,12の下面が接するまで引き上げかつ両係合突部12, 12を中心に回動させることにより、図１のように注出キャップ10側外方へ移動させることが可能に形成されている。
【００１０】
収納液体を注出する場合は、図２が示す状態から、蓋体20を注出キャップ10に対して縦長孔24, 24下端へ係合突部12 ,12の下面が接するまで引き上げかつ両係合突部12, 12を中心とする回動により、図１のように注出キャップ側外方へ蓋体20を移動させて開蓋させ、ノズル14から収納液体を注出させる。又蓋体20を閉蓋する場合には、図１が示す状態から、係合突部12, 12を中心とする回動により、蓋体20を注出キャップ10上方に移動させ、かつ該注出キャップに対して蓋体20を、縦長孔24, 24上端へ係合突部12, 12の上面が接するまで引き下げて、ノズル14の上端部内面へシール筒25を嵌合させる。
【００１１】
【発明の効果】
本発明は、上記構成とするものであり、請求項１記載の発明の場合は、注出キャップ装着筒11の外面左右両部上方に係合突部12, 12を付設すると共に、これ等係合突部上方の蓋体周壁22部分の下端から摺動板部23, 23を垂下して、両摺動板部に穿設した縦長孔24, 24の上部内へ係合突部12, 12を摺動可能に嵌合させ、蓋体20を注出キャップ10に対して縦長孔24, 24下端へ係合突部12, 12の下面が接するまで引き上げ、かつ両係合突部12, 12を中心とする回動により注出キャップ10側外方へ蓋体20を移動させることが可能に形成したから、蓋体20を注出キャップ10に対して僅かに引き上げかつ回動させることで簡単に開蓋でき、又摺動板部の縦長孔24, 24内へ係合突部12, 12を嵌合させて、それ等摺動板部23, 23および係合突部12, 12を介して、蓋体周壁22を装着筒11へ連結させたから、従来例のように開蓋させた蓋体20を何処にも置く必要がなくなり、かつ蓋体20を紛失する虞が全くないので、屋外等で収納液体を飲む場合に便利であり、又上記構成としたから、図１が示す状態から係合突部12, 12を中心とする回動により、蓋体20を注出キャップ10上方ヘ移動させ、かつ注出キャップ10に対して蓋体20を、縦長孔24, 24上端へ係合突部12, 12の上面が接するまで僅かに引き下げることで容易に閉蓋できる。
【００１２】
又本請求項では、注出キャップの装着筒11上端から内向きフランジ状頂壁13を介して細長のノズル14を起立したから、該ノズルを口にくわえて収納液体を容易に飲むことができ、又ベッド等に横たわった姿勢でも収納液体をこぼさずに飲むことができるから、上記のように、蓋体の開閉が簡単で蓋体を置く場所を必要としない、という効果と相まって、寝たきりの病人, 怪我人にとって特に便利である。
【００１３】
更に本請求項では、蓋体の周壁22下端部を注出キャップの装着筒11上部外面に着脱自在に嵌合させたから、それ等周壁22と装着筒11との嵌め合わせによって、蓋体20が不用意に開蓋することが防止される。
【００１４】
請求項２記載の発明の場合は、蓋体の頂壁21下面中央部に付設したシール筒25をノズル14上端部の内外面のうちのいずれか一方へ水密に嵌合させたから、ノズル14の上面開口から収納液体が漏出することが確実に防止され、又シール筒25がストッパーを兼用して、蓋体20が不用意に開蓋することを一層確実に防止する。
【図面の簡単な説明】
【図１】  本発明容器の一実施形態を開蓋状態で示す斜視図である。
【図２】同実施形態を閉蓋状態で示す縦断面図である。
【図３】同実施形態の要部を閉蓋状態で示す斜視図である。
【符号の説明】
１…容器体  10…注出キャップ  20…蓋体
【図１】
0003961179.tif 000002
【図２】
0003961179.tif 000003
【図３】
0003961179.tif 000004